(57)【特許請求の範囲】
【請求項１】
空気を吸い込んで浴室内に吹き出す送風手段と、
前記送風手段から吹き出される空気を加熱する加熱手段と、
被乾燥物の乾燥仕上がり時刻を特定する乾燥時間情報を設定する設定手段と、
前記送風手段と前記加熱手段を駆動すると共に前記浴室内の空気を室外へ排気する換気手段を駆動して、被乾燥物を乾燥させる乾燥運転を、前記設定手段で設定された乾燥時間情報で特定される被乾燥物の乾燥仕上がり時刻に従って実行する制御手段とを備え、
前記制御手段は、前記浴室内の湿度に応じて前記換気手段の駆動と停止を切り替えると共に、前記設定手段で設定された乾燥時間情報で特定される被乾燥物の乾燥仕上がり時刻までの時間の長さに従って、前記送風手段と前記加熱手段の出力を低下させた乾燥運転を連続して実行する
ことを特徴とする浴室空調装置。
【請求項２】
前記制御手段は、前記設定手段で設定された乾燥時間情報で特定される被乾燥物の乾燥仕上がり時刻までの時間の長さに従って、前記送風手段及び前記換気手段と前記加熱手段を前記浴室内の湿度変化に応じて駆動時間と停止時間を変化させて間欠駆動する乾燥運転を連続して実行する
ことを特徴とする請求項１記載の浴室空調装置。
【請求項３】
前記乾燥時間情報は、利用者により指定される被乾燥物の乾燥仕上がり時刻である
ことを特徴とする請求項１〜２の何れか１項に記載の浴室空調装置。
【請求項４】
前記乾燥時間情報は、利用者により指定される仕上げ乾燥運転の開始時刻である
ことを特徴とする請求項１〜２の何れか１項に記載の浴室空調装置。
【発明の詳細な説明】
【技術分野】
【０００１】
本発明は、浴室に設置される浴室空調装置に関する。詳しくは、被乾燥物の乾燥仕上がり時刻を設定できるようにすることで、所望の時刻に被乾燥物の乾燥が終了できるようにしたものである。
【背景技術】
【０００２】
従来より、浴室に温風等を吹き出して、洗濯物等の被乾燥物の乾燥を行う機能を備えた浴室用の空調装置が提供されている。このような浴室空調装置では、乾燥運転の動作時間の指定を行うことで、洗濯物の量に見合った乾燥時間を利用者が設定するようになっている。
【０００３】
さて、浴室空調装置を利用して洗濯物の乾燥を行う場合、利用者は、浴室に設置されたランドリパイプ等の物干し部材に洗濯物を掛け、洗濯物の量等に応じた乾燥時間を設定した後、乾燥運転を開始させる。そして、乾燥運転が終了すると、通常は、浴室から洗濯物を取り込む。
【０００４】
これに対して、浴室空調装置を利用して夜間等に洗濯物の乾燥を行う場合は、乾燥運転終了後、洗濯物は浴室に残ったままで、翌朝等に取り込まれることになる。
【０００５】
但し、一旦乾燥の終了した洗濯物を浴室に残しておくと、時間経過と共に洗濯物が浴室内の湿気を含み、浴室内の温度の低下により冷たくなる。
【０００６】
これにより、乾燥の終了した洗濯物を浴室に残しておき、そのまま着衣するような場合、不快感を感じることがある。
【０００７】
このため、乾燥運転終了後、乾燥運転を継続して行う技術が提案されている（例えば、特許文献１参照）。
【０００８】
【特許文献１】特開平１１−３３７１５０号公報
【発明の開示】
【発明が解決しようとする課題】
【０００９】
しかし、乾燥運転終了後、乾燥運転を継続して行うと、消費電力が増加し、装置を稼動するコストが高くなるという問題がある。
【００１０】
本発明は、このような課題を解決するためになされたもので、装置を稼動するコストは抑え、被乾燥物を確実に乾燥させる浴室空調装置を提供することを目的とする。
【課題を解決するための手段】
【００１１】
上述した課題を解決するため、本発明の浴室空調装置は、空気を吸い込んで浴室内に吹き出す送風手段と、送風手段から吹き出される空気を加熱する加熱手段と、被乾燥物の乾燥仕上がり時刻を特定する乾燥時間情報を設定する設定手段と、送風手段と加熱手段を駆動すると共に浴室内の空気を室外へ排気する換気手段を駆動して、被乾燥物を乾燥させる乾燥運転を、設定手段で設定された乾燥時間情報で特定される被乾燥物の乾燥仕上がり時刻に従って実行する制御手段とを備え、制御手段は、浴室内の湿度に応じて換気手段の駆動と停止を切り替えると共に、設定手段で設定された乾燥時間情報で特定される被乾燥物の乾燥仕上がり時刻までの時間の長さに従って、送風手段と加熱手段の出力を低下させた乾燥運転を連続して実行することを特徴とする。
【００１２】
本発明の浴室空調装置では、所望の乾燥仕上がり時刻が利用者によって指定され、指定された乾燥仕上がり時刻に被乾燥物の乾燥が終了しているように、乾燥運転が実行される。
【００１３】
例えば、着衣の時間に合わせて被乾燥物の乾燥仕上がり時間を指定すれば、確実に乾燥した衣類を着衣できることになり、着衣時に不快感を感じることはない。
【発明の効果】
【００１４】
本発明の浴室空調装置によれば、被乾燥物の乾燥仕上がり時刻が設定できるので、所望の時間に被乾燥物の乾燥を終了させておくことができる。また、設定された乾燥仕上がり時刻に合わせて乾燥運転を行うことで、無駄な運転が不要となる。
【００１５】
従って、装置の稼動コストを抑え、かつ、被乾燥物を確実に乾燥させることができる。
【発明を実施するための最良の形態】
【００１６】
以下、図面を参照して本発明の浴室空調装置の実施の形態について説明する。
【００１７】
＜第１の実施の形態の浴室空調装置の構成例＞
図１〜図３は本実施の形態の浴室空調装置の一例を示す構成図で、図１は本実施の形態の浴室空調装置１Ａの内部構成を示す断面図、図２はフロントパネルを取り外した状態の浴室空調装置１Ａの下面側から見た平面図、図３は浴室空調装置１Ａの分解斜視図である。なお、図１（ａ）は、浴室空調装置１Ａを図２におけるＡ−Ａ線で切断した断面図、図１（ｂ）は、浴室空調装置１Ａを図２のＢ−Ｂ線で切断した断面図である。
【００１８】
本実施の形態の浴室空調装置１Ａは、空気を循環させる循環ファン部２と、空気を排気する換気ファン部３を備える。循環ファン部２は送風手段の一例で、回転軸の向きを鉛直方向とした多翼の羽根車４と、羽根車４を回転駆動する循環ファンモータ５と、風路を形成する循環ファンケース６を備える。
【００１９】
循環ファンケース６は、羽根車４の軸方向に沿った下面が開口して循環ファン吸込口７が形成される。また、循環ファンケース６は、羽根車４の接線方向に沿って吹出風路８が形成され、吹出風路８と連通した下面が開口して循環ファン吹出口９が形成される。
【００２０】
浴室空調装置１Ａは、循環ファン部２にヒータ１０を備える。ヒータ１０は加熱手段の一例で、循環ファン吹出口９の近傍の吹出風路８に備えられる。
【００２１】
ヒータ１０は、例えばＰＴＣヒータが用いられ、棒状のヒータ部材に長手方向に沿って多数のフィンが取り付けられた構成で、吹出風路８を通る空気が、ヒータ１０の放熱フィンの間を通過するように、吹出風路８中に取り付けられる。
【００２２】
これにより、ヒータ１０に通電されると、吹出風路８を通る空気がヒータ１０によって加熱されて、循環ファン吹出口９から温風が吹き出す。
【００２３】
換気ファン部３は、回転軸の向きを鉛直方向とした多翼の羽根車１１と、羽根車１１を回転駆動する換気ファンモータ１２と、風路を形成する換気ファンケース１３を備える。
【００２４】
換気ファンケース１３は、羽根車１１の軸方向に沿った下面が開口して換気ファン吸込口１４が形成される。また、換気ファンケース１３は、羽根車１１の接線方向に沿って排気風路１５が形成され、排気風路１５と連通した一の側面が開口して排気口１６が形成される。
【００２５】
浴室空調装置１Ａは、循環ファン部２と換気ファン部３を収容する本体ケース１７を備える。本体ケース１７は、鉄等の金属で構成され、循環ファン部２の上側に換気ファン部３が重なる形態で、循環ファン部２と換気ファン部３が取り付けられる。
【００２６】
浴室空調装置１Ａは、本体ケース１７の一の側面に、排気ファン３の排気口１６と連通した排気ダクトジョイント１８ａが取り付けられる。
【００２７】
また、浴室空調装置１Ａは、排気口１６の形成面以外の本体ケース１７の他の側面に副吸込口１７ａが形成され、副吸込口１７ａに副吸込ダクトジョイント１８ｂが取り付けられる。
【００２８】
更に、浴室空調装置１Ａは、本体ケース１７内で循環ファン部２の上側に、循環ファン部２の吹出風路８とは独立して、副吸込口１７ａと換気ファン吸込口１４を連通させた副吸込風路１９が形成される。
【００２９】
浴室空調装置１Ａは、換気ファン部３の下側に換気吸込風路形成部材２０が取り付けられる。換気吸込風路形成部材２０は、本体ケース１７の下面側に開口を有して換気吸込口２０ａを形成すると共に、換気吸込口２０ａと換気ファン吸込口１４を連通させた換気吸込風路２０ｂを形成する。また、換気吸込口２０ａを開閉する図示しないシャッターが備えられている。
【００３０】
浴室空調装置１Ａは、循環ファン吸込口７に湿度センサ２１を備える。湿度センサ２１は湿度検出手段の一例で、循環ファン吸込口７から循環ファン部２に吸い込まれる空気の湿度を計測する。よって、湿度センサ２１の計測結果から、浴室空調装置１Ａが設置された浴室の湿度が検出される。
【００３１】
浴室空調装置１Ａは、本体ケース１７の下面にフロントパネル２２を備える。フロントパネル２２は、本体ケース１７に対して着脱できるように構成され、循環ファン部２の循環ファン吸込口７及び換気ファン部３と連通した換気吸込口２０ａと対向して吸込口グリル２２ａが形成される。また、フロントパネル２２は、循環ファン部２の循環ファン吹出口９と対向して吹出口グリル２２ｂが形成される。
【００３２】
＜浴室空調装置の設置例＞
図４は浴室空調装置１Ａの設置例を示す浴室の構成図である。浴室空調装置１Ａは、浴室３１の天井に設置される。浴室３１の天井パネルには、図１等で説明した浴室空調装置１Ａの本体ケース１７が入る開口部が形成され、浴室空調装置１Ａは、フロントパネル２２が露出するようにして、天井裏から吊り下げる形態、あるいは天井パネルに固定する形態等で取り付けられる。
【００３３】
浴室３１の天井に取り付けられた浴室空調装置１Ａは、排気ダクトジョイント１８ａに排気ダクト３２が接続される。排気ダクト３２は、図示しない建物の外壁３３に取り付けた屋外グリル３４に接続され、浴室空調装置１Ａで浴室３１等から吸い込んだ空気を、排気ダクト３２を介して屋外に排気できる構成となっている。
【００３４】
また、浴室空調装置１Ａは、副吸込口１７ａに取り付けられた副吸込ダクトジョイント１８ｂに副吸込ダクト３５が接続され、副吸込ダクト３５は、例えば洗面所３６に設置された副吸込口３７に接続されて、洗面所３６の空気を吸い込める構成となっている。
【００３５】
浴室空調装置１Ａは、洗濯物等の被乾燥物を乾燥させる機能を備えるので、浴室３１には洗濯物等を掛けるランドリパイプ３８を備える。ここで、浴室空調装置１Ａの図１等に示す吹出口グリル２２ｂから吹き出す空気が、浴槽３１ａから出て洗い場３１ｂに居る入浴者に直接当たると、寒さを感じることがある。このため、吹き出し方向がランドリパイプ３８側に向くように設定される。
【００３６】
浴室３１の入口には浴室ドア３９を備える。浴室ドア３９は空気取入口（ガラリ）３９ａを備え、浴室３１に隣接した洗面所３６等の空気を浴室３１内に取り込めるようになっている。
【００３７】
＜浴室空調装置の制御機能例＞
図５は浴室空調装置１Ａの制御系の一例を示す機能ブロック図である。浴室空調装置１Ａは、ＣＰＵやメモリ等で構成される制御部５１に、操作部５２と、図１〜図３で説明した循環ファンモータ５と、換気ファンモータ１２と、ヒータ１０と、湿度センサ２１等が接続される。
【００３８】
制御部５１は制御手段の一例で、図示しないメモリ等に格納されたプログラムに従って、例えば乾燥運転モード、暖房運転モード、換気運転モード及び涼風運転モードを実行する。これら運転モードは、入浴者等の利用者が操作部５２を操作すること等により選択され、制御部５１は、選択された運転モードを実行するプログラムに従い、循環ファンモータ５、換気ファンモータ１２及びヒータ１０等を制御する。
【００３９】
操作部５２は、浴室空調装置１Ａと独立したリモートコントロール装置で、例えば浴室３１に隣接した洗面所３６の壁面等に取り付けられ、制御部５１とは例えば電気ケーブルで接続される。
【００４０】
図６は操作部５２の一例を示す構成図である。操作部５２は設定手段の一例で、各種時間情報等を表示する表示部５３と、各種操作ボタン等を備える。操作部５２は、操作ボタンとして、乾燥運転モードを選択する乾燥ボタン５４と、暖房運転モードを選択する暖房ボタン５５と、換気運転モードを選択する換気ボタン５６と、涼風運転モードを選択する涼風モードボタン５７を備える。なお、選択された運転モードを視認させるため、各ボタンに対応してランプ５８を備えても良い。
【００４１】
また、操作部５２は、設定する時間情報を切り替えるタイマ切替ボタン５９ａと、時間や時刻を設定する時間設定ボタン５９ｂを備える。
【００４２】
＜本実施の形態の浴室空調装置の乾燥運転動作例＞
図７は乾燥運転モードの動作例を示すフローチャートで、次に、浴室空調装置１Ａの乾燥運転モード実行時の動作例について各図を参照して説明する。
【００４３】
本実施の形態の浴室空調装置１Ａは、乾燥ボタン５４が押されると、洗濯物の乾燥状態あるいは利用者により設定された乾燥運転時間に従って乾燥運転を行う通常の乾燥運転モードに加えて、利用者が入力した洗濯物の乾燥仕上がり時刻に等の乾燥時間情報に応じて、仕上げ乾燥運転を行う乾燥運転モードが実行される。
【００４４】
ステップＳＡ１：利用者は、仕上げ乾燥運転を行う場合、図６に示す操作部５２でタイマ切替ボタン５９ａを操作して、乾燥時間情報として洗濯物の乾燥仕上がり時刻を入力できるようにし、時間設定ボタン５９ｂを操作して、乾燥仕上がり時刻を入力する。制御部５１は、操作部５２が操作されて乾燥仕上がり時刻が入力されると、図示しないメモリに記憶する。
【００４５】
ステップＳＡ２：利用者は、操作部５２でタイマ切替ボタン５９ａを操作して、乾燥時間情報として仕上げ乾燥運転の作動時間を入力できるようにし、時間設定ボタン５９ｂを操作して、仕上げ乾燥運転時間を入力する。制御部５１は、操作部５２が操作されて仕上げ乾燥運転時間が入力されると、図示しないメモリに記憶する。
【００４６】
制御部５１は、乾燥仕上がり時刻と仕上げ乾燥運転時間が入力されると、乾燥仕上がり時刻から仕上げ乾燥運転開始時刻を逆算して求め、図示しないメモリに記憶する。なお、仕上げ乾燥運転時間は、予め設定されているいくつかの時間の中から、利用者が選択できるようにしても良い。また、仕上げ乾燥運転時間は、利用者の選択によらず、予め規定されている時間を用いても良い。
【００４７】
ステップＳＡ３：利用者は、操作部５２で乾燥ボタン５４を押す。制御部５１は、操作部５２で乾燥ボタン５４が押されると、乾燥運転モードが選択されたと判断し、乾燥運転を開始する。
【００４８】
すなわち、制御部５１は、循環ファンモータ５を駆動して、循環ファン部２の羽根車４を回転駆動すると共に、ヒータ１０に通電する。また、換気ファンモータ１２を駆動して、換気ファン部３の羽根車１１を回転駆動する。更に、換気吸込口２０ａに備えられた図示しないシャッターを開位置とする。
【００４９】
循環ファン部２の羽根車４が回転すると、フロントパネル２２の吸込口グリル２２ａから、循環ファン部２の循環ファン吸込口７へ浴室３１内の空気が吸い込まれる。
【００５０】
循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから、浴室３１内へ温風が吹き出す。これにより、ランドリパイプ３８に掛けられた洗濯物に温風を当てて、洗濯物を乾燥させる。
【００５１】
また、換気ファン部３の羽根車１１が回転すると、換気吸込口２０ａに備えられた図示しないシャッターが開位置になっていることで、フロントパネル２２の吸込口グリル２２ａから、換気風路形成部材２０によって形成された換気吸込風路２０ｂを介して、換気ファン部３の換気ファン吸込口１４へ浴室３１内の空気が吸い込まれる。
【００５２】
換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【００５３】
なお、浴室空調装置１Ａで浴室３１の空気が吸い込まれると、浴室ドア３９の空気取入口３９ａから隣接する洗面所３６の空気が浴室３１に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしても良い。
【００５４】
ステップＳＡ４：制御部５１は、乾燥運転モードを開始すると、湿度センサ２１で検出される浴室３１の湿度を監視して、洗濯物が乾燥したか否か判断する。すなわち、ランドリパイプ３８に掛けられた洗濯物が未乾燥であると、洗濯物が水分を含んでいるので、浴室３１内の湿度が上がる。
【００５５】
これに対して、洗濯物に温風を当てて乾燥させていくと、洗濯物に含まれる水分が減少し、洗濯物に含まれる水分の減少に伴い、浴室３１内の湿度が下がる。これにより、湿度センサ２１で浴室３１の湿度を監視することで、洗濯物が乾燥したか否かの判断が可能となる。
【００５６】
なお、ステップＳＡ４で、洗濯物が未乾燥であると判断すると、制御部５１は、乾燥運転を継続する。
【００５７】
ステップＳＡ５：制御部５１は、湿度センサ２１で検出される浴室３１の湿度から、洗濯物が乾燥したと判断すると、現在時刻が、ステップＳＡ１で入力されて記憶している乾燥仕上がり時刻に達しているか判断する。
【００５８】
そして、制御部５１は、現在時刻が乾燥仕上がり時刻に達していると判断すると、循環ファンモータ５及び換気ファンモータ１２を停止すると共に、ヒータ１０への通電を停止して、乾燥運転モードを終了する。
【００５９】
ステップＳＡ６：制御部５１は、上述したステップＳＡ５の判断で、現在時刻が乾燥仕上がり時刻より前であると判断すると、循環ファンモータ５及び換気ファンモータ１２を停止すると共に、ヒータ１０への通電を停止して、乾燥運転を一時停止する。
【００６０】
ステップＳＡ７：制御部５１は、乾燥運転を一時停止すると、計時を継続して行い、現在時刻が、乾燥仕上がり時刻から逆算して求めて記憶している仕上げ乾燥運転開始時刻になったか判断する。
【００６１】
ステップＳＡ８：制御部５１は、現在時刻が仕上げ乾燥運転開始時刻になったと判断すると、循環ファンモータ５及び換気ファンモータ１２を駆動すると共に、ヒータ１０に通電して、仕上げ乾燥運転を開始する。
【００６２】
仕上げ乾燥運転を開始すると、上述したように、循環ファン部２によって浴室３１内の空気を循環させながら、温風を吹き出すことで、ランドリパイプ３８に掛けられた洗濯物に温風を当てて、洗濯物を再乾燥させる。また、換気ファン部３によって浴室３１の空気が換気される。なお、仕上げ乾燥運転では、換気ファン部３は駆動せず、浴室３１の換気は行わなくても良い。
【００６３】
ステップＳＡ９：制御部５１は、現在時刻が乾燥仕上がり時刻になったか判断する。そして、現在時刻が乾燥仕上がり時刻になったと判断すると、循環ファンモータ５及び換気ファンモータ１２を停止すると共に、ヒータ１０への通電を停止して、仕上げ乾燥運転を停止し、乾燥運転モードを終了する。また、現在時刻が乾燥仕上がり時刻になっていないと判断すると、仕上げ乾燥運転を継続する。
【００６４】
以上の乾燥運転によって、利用者が指定した乾燥仕上がり時刻に従って、仕上げ乾燥運転が行われ、所望の時刻に、洗濯物の乾燥を完了させるようにすることができる。
【００６５】
また、通常の乾燥運転を停止させた後に、乾燥仕上がり時刻に従って仕上げ乾燥運転を行うので、浴室空調装置１Ａを乾燥仕上がり時刻まで連続運転して、洗濯物の乾燥状態を維持する場合と比較すると、消費電力を抑えることができる。
【００６６】
＜本実施の形態の浴室空調装置の乾燥運転の他の動作例＞
以上説明した浴室空調装置１Ａでは、湿度センサ２１で浴室３１内の湿度を監視し、洗濯物が乾燥しているか否かを判断して、乾燥運転の継続と停止を切り替えた。
【００６７】
これに対して、乾燥の判断にはタイマを用いても良く、また他の方法であっても良い。例えば、利用者が乾燥運転の作動時間を入力し、制御部５１は、乾燥運転作動時間に従って乾燥運転モードを実行しても良い。すなわち、制御部５１は、操作部５２で乾燥ボタン５４が押されて乾燥運転モードを開始すると、乾燥運転作動時間に従って乾燥運転を継続し、乾燥運転作動時間が経過すると、乾燥運転を一時停止した後、乾燥仕上がり時刻に従って仕上げ乾燥運転を行うようにすれば良い。
【００６８】
また、浴室空調装置１Ａでは、仕上げ乾燥運転を行うために、乾燥時間情報として乾燥仕上がり時刻を入力するようにしたが、仕上げ乾燥運転を開始する仕上げ乾燥運転開始時刻を乾燥時間情報として入力するようにしても良い。
【００６９】
更に、浴室空調装置１Ａでは、通常の乾燥運転を一時停止した後、乾燥仕上がり時刻に従って仕上げ乾燥運転を行うようにした。
【００７０】
これに対して、利用者により入力された乾燥仕上がり時刻と現在時刻から、乾燥に掛けられる時間を算出し、乾燥時間に従って例えばヒータ１０に印加する電圧を低くする等によって、浴室空調装置１Ａを低出力で連続運転し、乾燥仕上がり時刻に洗濯物が乾燥するようにしても良い。なお、ヒータ１０の出力低下に合わせて、循環ファンモータ５の回転数を低下させても良い。
【００７１】
また、乾燥時間に従ってヒータ１０の駆動時間と停止時間を設定して、ヒータ１０を間欠運転し、乾燥仕上がり時刻に洗濯物が乾燥するようにしても良い。更に、湿度センサ２１で検出される浴室３１の湿度の変化に応じて駆動時間と停止時間を変化させながら、ヒータ１０を間欠運転しても良い。なお、ヒータ１０の間欠運転時は、ヒータ１０への通電を停止させている間も、循環ファンモータ５の駆動は継続することで、風が洗濯物に当たり、乾燥が促進されるが、ヒータ１０の間欠運転に合わせて、循環ファンモータ５の駆動を停止させても良い。
【００７２】
以上のように、仕上げ乾燥運転として、浴室空調装置１Ａを低出力で連続運転する場合、及び通常出力で間欠運転する場合の何れであっても、通常出力で乾燥仕上がり時刻まで連続して乾燥運転を行う場合と比較して、消費電力を抑えることができる。
【００７３】
＜本実施の形態の浴室空調装置の他の運転モードの動作例＞
次に、浴室空調装置１Ａの他の運転モードの動作例について各図を参照して説明する。図６に示す操作部５２で暖房ボタン５５が押されると、制御部５１は暖房運転モードが選択されたと判断して、循環ファンモータ５を駆動して、循環ファン部２の羽根車４を回転駆動すると共に、ヒータ１０に通電する。また、換気吸込口２０ａに備えられた図示しないシャッターを閉位置とする。
【００７４】
循環ファン部２の羽根車４が回転すると、フロントパネル２２の吸込口グリル２２ａから、循環ファン部２の循環ファン吸込口７へ浴室３１内の空気が吸い込まれる。
【００７５】
循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから、浴室３１内へ温風が吹き出す。
【００７６】
これにより、暖房運転モードを実行することで、浴室３１内の空気を循環させながら浴室３１内を暖房して、温度を上げることができる。なお、暖房運転モードでは、換気吸込口２０ａに備えられた図示しないシャッターを閉位置とすることで、浴室３１内の暖められた空気が排気されることを防ぐ。
【００７７】
図６に示す操作部５２で換気ボタン５６が押されると、制御部５１は換気運転モードが選択されたと判断して、換気ファンモータ１２を駆動する。また、換気吸込口２０ａに備えられた図示しないシャッターを開位置とする。
【００７８】
換気ファンモータ１２が駆動されると、換気ファン部３の羽根車１１が回転することで、フロントパネル２２の吸込口グリル２２ａから、換気ファン吸込口１４へ浴室３１内の空気が吸い込まれる。
【００７９】
換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【００８０】
なお、浴室空調装置１Ａで浴室３１の空気が吸い込まれると、浴室ドア３９の空気取入口３９ａから洗面所３６の空気が浴室３１に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしても良い。
【００８１】
これにより、換気運転モードを実行することで、浴室３１内の湯気や湿気を排出して結露等を抑制し、カビの発生を抑えることができる。
【００８２】
図６に示す操作部５２で涼風ボタン５７が押されると、制御部５１は涼風運転モードが選択されたと判断して、循環ファンモータ５と換気ファンモータ１２を駆動する。また、換気吸込口２０ａに備えられた図示しないシャッターを開位置とする。なお、涼風運転モードでは、ヒータ１０には通電しない。
【００８３】
循環ファンモータ５が駆動されると、循環ファン部２の羽根車４が回転することで、フロントパネル２２の吸込口グリル２２ａから、循環ファン吸込口７へ浴室３１内の空気が吸い込まれる。
【００８４】
循環ファン吸込口７から吸い込まれた空気は、吹出風路８によって循環ファン吹出口９へと流れる。涼風運転モードでは、ヒータ１０に通電されていないので、フロントパネル２２の吹出口グリル２２ｂから、浴室３１内の温度に応じた風（涼風）が吹き出す。
【００８５】
また、換気ファンモータ１２が駆動されると、換気ファン部３の羽根車１１が回転することで、フロントパネル２２の吸込口グリル２２ａから、換気ファン吸込口１４へ浴室３１内の空気が吸い込まれる。
【００８６】
換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【００８７】
なお、浴室空調装置１Ａで浴室３１の空気が吸い込まれると、浴室ドア３９の空気取入口３９ａから洗面所３６の空気が浴室３１に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしても良い。
【００８８】
これにより、涼風運転モードを実行することで、浴室３１内の空気を換気しながら、浴室３１内に涼風が吹き出され、浴室空調装置１Ａを夏季等に扇風機として使用することができる。
【００８９】
ここで、涼風運転モードでは、換気ファン部３は駆動せずに、浴室３１内の空気を循環させながら涼風を吹き出すこととしても良い。
【００９０】
なお、以上説明した浴室空調装置１Ａは、循環ファン部２と換気ファン部３を独立して備えた構成を例に説明したが、単一のファンと、換気と循環で風路を切り替えるダンパを備えた構成の浴室空調装置にも、本発明は適用できる。
【産業上の利用可能性】
【００９１】
本発明は、浴室に設置され、浴室を暖房する機能や洗濯物等の被乾燥物を乾燥させる機能を有する浴室空調装置に適用される。
【図面の簡単な説明】
【００９２】
【図１】本実施の形態の浴室空調装置の一例を示す構成図である。
【図２】本実施の形態の浴室空調装置の一例を示す構成図である。
【図３】本実施の形態の浴室空調装置の一例を示す構成図である。
【図４】浴室空調装置の設置例を示す浴室の構成図である。
【図５】浴室空調装置の制御系の一例を示す機能ブロック図である。
【図６】操作部の一例を示す構成図である。
【図７】乾燥運転モードの動作例を示すフローチャートである。
【符号の説明】
【００９３】
１Ａ・・・浴室空調装置、２・・・循環ファン部、３・・・換気ファン部、４・・・羽根車、５・・・循環ファンモータ、６・・・循環ファンケース、７・・・循環ファン吸込口、８・・・吹出風路、９・・・循環ファン吹出口、１０・・・ヒータ、１１・・・羽根車、１２・・・換気ファンモータ、１３・・・換気ファンケース、１４・・・換気ファン吸込口、１５・・・排気風路、１６・・・排気口、１７・・・本体ケース、１７ａ・・・副吸込口、１８ａ・・・排気ダクトジョイント、１８ｂ・・・副吸込ダクトジョイント、１９・・・副吸込風路、２０・・・換気風路形成部材、２０ａ・・・換気吸込口、２０ｂ・・・換気吸込風路、２１・・・湿度センサ、２２・・・フロントパネル、２２ａ・・・吸込口グリル、２２ｂ・・・吹出口グリル、３１・・・浴室、３２・・・排気ダクト、３４・・・屋外グリル、３５・・・副吸込ダクト、３６・・・洗面所、３７・・・副吸込口、３８・・・ランドリパイプ、３９・・・浴室ドア、５１・・・制御部、５２・・・操作部
【図１】
0004788242.tif 000002
【図２】
0004788242.tif 000003
【図３】
0004788242.tif 000004
【図４】
0004788242.tif 000005
【図５】
0004788242.tif 000006
【図６】
0004788242.tif 000007
【図７】
0004788242.tif 000008